(57)【特許請求の範囲】
【請求項１】
法面や崖等の岩石に打設した複数のアンカーと、各アンカーに連結又は連通し外端部を法面や崖等にアンカーして張設したワイヤロープと、各ワイヤロープの側部に着脱可能に取り付けてロープ張力が所定値に高まると作動する複数の着脱式ロープ張力検出器と、法面や崖等に建て込み各ロープ張力検出器に作動線を介して連結し前記の作動によって危険表示に切り変わる危険表示器と、一部のワイヤロープに介装された歪ゲージ付き張線器と、歪ゲージ付き張線器に信号線を介して連結した危険監視手段付き遠隔監視装置とを具備したことを特徴とする岩石崩落等の危険表示装置付き防護工。
【請求項２】
着脱式ロープ張力検出器は、ワイヤロープの側部に間隔をおき着脱される一対のガイドロールと、両ガイドロール間のワイヤロープを着脱可能に支持してロープ張力に抗しワイヤロープを引き込み湾曲させる張力検出部材と、張力検出部材をバネ付勢してワイヤロープとともに引き込みロープ張力が所定値に高くなると作動する作動手段とを具備したことを特徴とする請求項１に記載の岩石崩落等の危険表示装置付き防護工。
【請求項３】
各着脱式ロープ張力検出器に、作動スイッチ及び作動線を介して連結した危険監視手段付き遠隔監視装置を連設したことを特徴とする請求項１又は請求項２記載の岩石崩落等の危険表示装置付き防護工。
【請求項４】
歪ゲージ付き張線器が、本体と、本体の左右に螺合した連結環部つきボルトと、ボルトの基部に嵌着した歪ゲージを備えている請求項1に記載の岩石崩落等の危険表示装置付き防護工。
【請求項５】
法面に施工した落石等防護工によって支保された岩石に、前記の危険表示装置付き防護工を付設したことを特徴とする請求項１ないし請求項４に記載の岩石崩落等の危険表示装置付き防護工。
【発明の詳細な説明】
【０００１】
【発明の属する技術分野】
本発明は、法面や崖等において崩落等の恐れがある大規模な岩石に施工して防護するとともに、崩落等の危険を検知して施工現場近くで表示し、また遠隔地でも監視可能にした岩石崩落等の危険表示装置付き防護工に関するものである。
【０００２】
【従来の技術】
従来、落石等の恐れがある法面には、通常、法面に多数のワイヤロープを縦横間隔をおき配置して、各ワイヤロープをアンカーしロープ交差部をクリツプ等で結合するなどしてネツト状に張設し、又は、法面に金網を敷き詰め、多数のワイヤロープを同様にネツト状に張設して落石等を長期にわたり抑止して防護する落石等防護工が施工されている。この落石等防護工は、長期にわたる浮石等の移動等によってロープ張力が次第に増加し崩落等の危険が生じる恐れがあるため定期的に検査する必要がある。また、予め歪ゲージを介装したワイヤロープを張設して、歪ゲージによって検出したロープ張力の検出信号に基づき、落石等の危険を遠隔地で監視する遠隔監視装置（テレビ等）が開発されている。
【０００３】
【発明が解決しようとする課題】
従来の落石等防護工は、法面の落石等を支保してその移動等を長期にわたり抑止して防護する防護工としては効果的な手段であるが、比較的に大規模な岩石が移動すると、ロープ張力が過大になって局部的に破損し崩落等の恐れが生じる課題がある。また、前記の遠隔監視装置は、予めワイヤロープ中に介装した歪ゲージの検出に基づき崩落等の危険を遠隔地で長期にわたって監視する構造になっているため、施工後に歪ゲージ等を随時に取付けたり、取り替え交換するのが難しく危険作業になる。長期使用により腐食等して信頼性が低下する。施工現場近くで崩落等の危険を直接的に表示できないなどの課題がある。
【０００４】
本発明は、前記のような課題を解決するために開発されたものであり、その目的とする処は、各ワイヤロープをアンカーして岩石を支保し、ロープ側部に着脱式ロープ張力検出器を取り付けて危険表示器を建て込み、かつ歪ゲージ付き張線器を介装して遠隔監視装置を連結するなど、随時に施工して岩石崩落等の危険を施工現場近くで表示したり遠隔監視も可能にするなど、施工性とともに岩石崩落等の防護機能及び現場近くの危険表示性能や遠隔監視性能、信頼性を向上した岩石崩落等の危険表示装置付き防護工を提供するにある。
【０００５】
【課題を解決するための手段】
本発明は、法面や崖等の岩石に打設した複数のアンカーと、各アンカーに連結又は連通し外端部を法面や崖等にアンカーして張設したワイヤロープと、ロープ側部に着脱可能に取り付けてロープ張力が所定値に高まると作動する複数の着脱式ロープ張力検出器と、法面や崖等に建て込み各ロープ張力検出器に作動線を介して連結し前記の作動によって危険表示に切り変わる危険表示器と、一部のワイヤロープに介装された歪ゲージ付き張線器と、歪ゲージ付き張線器に信号線を介して連結した危険監視手段付き遠隔監視装置を具備した岩石崩落等の危険表示装置付き防護工に特徴を有している。
岩石及び法面や崖等にアンカーして岩石を支保した複数のワイヤロープと、各ロープ側部に着脱する着脱式ロープ張力検出器、及び法面や崖等に建て込み連結する危険表示器等からなる複数組により、比較的に少数の部材で随時に岩石を支保したり取り替え交換や撤去も容易とし優れた施工性を有する。岩石を支保してその移動等を抑止する防護工として機能し、着脱式ロープ張力検出器及び危険表示器は、腐食等による不作動が回避されロープ張力を直接に検出して機械的に作動し、岩石近くの複数箇所で岩石崩落等の危険を表示するなど、岩石崩落等の危険表示性能、信頼性を効果的に高めている。しかも、一部のワイヤロープに介装された歪ゲージ付き張線器と、歪ゲージ付き張線器に信号線を介して連結した危険監視手段付き遠隔監視装置を具備しているので、歪ゲージ付き張線器をワイヤロープに介装したままで容易に施工し又は取り替え交換や撤去を可能として、施工性や遠隔監視性能を高めている。
【０００６】
また、前記のロープ張力検出器は、ロープ側部に間隔をおき着脱される一対のガイドロールと、両ガイドロール間のワイヤロープを着脱可能に支持してロープ張力に抗しワイヤロープを引き込み湾曲させる張力検出部材と、張力検出部材をバネ付勢してワイヤロープとともに引き込みロープ張力が所定値に高くなると作動する作動手段とを具備したことに特徴を有し、その一対のガイドロール及び張力検出部材によって、ロープ側部への着脱や取り替え交換、撤去を容易とし、その張力検出部材及び作動手段によって、ロープ張力の検出及び作動を機械的に高めるなど、施工性とともに作動及び検出の信頼性等をさらに高めている。
【０００７】
各着脱式ロープ張力検出器に、作動スイッチ及び作動線を介して連結した危険監視手段付き遠隔監視装置を付設したことに特徴を有し、この危険監視手段により、岩石崩落等の危険等を遠隔地でも監視可能にしている。
【０００８】
【０００９】
法面に施工した落石等防護工によって支保した岩石に、前記の危険表示装置付き防護工を付設したことに特徴を有し、岩石崩落等の防護性能とともに落石等防護工自体の防護性能、信頼性をさらに高めるなど、総合的に優れた施工性とともに岩石崩落等の危険表示さらには遠隔監視性能、信頼性が得られる。従って、岩石崩落等の危険を察知して緊急の退避や補修等の対応が容易となる。
【００１０】
【発明の実施の形態】
図１に本発明の岩石崩落等の危険表示装置付き防護工の第１実施例、図２にその第２実施例、図３に第３実施例、図４に着脱式ロープ張力検出器の一実施例、図５に危険表示器の一実施例、図６にアンカーの一実施例、図７に他のアンカーの実施例、図８にロープ交差部のクリツプの一実施例を示している。
図中Ｇは法面や崖等、Ｓ，Ｓ１は崩落等の恐れがある浮石等や大規模の岩石、１は法面に施工した落石等防護工、１ａ，１ｂは縦横に張設したワイヤロープ、２，３はワイヤロープの端部や中間部のアンカー、５はロープ交差部のクリツプ、６は金網、１０はガイドローラ１５や張力検出部材１６及び作動手段１７等を備えた着脱式ロープ張力検出器、２０は法面や崖等に建て込む危険表示器、３０は歪ゲージ３５付き張線器、４０は信号線４２で連結した遠隔監視装置、５０ａ，５０ｂ，５０ｃは各実施例の危険表示装置付き防護工、Ｆ，Ｆ１はバネ付勢とロープ張力である。
【００１１】
図示の実施例は、法面や崖Ｇ等の岩石Ｓ１に打設した複数のアンカー２と、各アンカーに連結又は連通し外端部を法面や崖等にアンカー２して張設したワイヤロープ１ａ，１ｂと、各ワイヤロープの側部に着脱可能に取り付けてロープ張力Ｆ１が所定値に高まると作動する複数の着脱式ロープ張力検出器１０と、法面や崖等に建て込み各ロープ張力検出器に作動線１９を介して連結し前記の作動によって危険表示に切り変わる危険表示器２０とを具備したことを特徴とする岩石崩落等の危険表示装置付き防護工になっている。
【００１２】
前記の岩石崩落等の危険表示装置付き防護工において、着脱式ロープ張力検出器１０は、ワイヤロープ１ａ，１ｂの側部に間隔をおき着脱される一対のガイドロール１５と、両ガイドロール間のワイヤロープを着脱可能に支持してロープ張力Ｆ１に抗しワイヤロープを引き込み湾曲させる張力検出部材１６と、張力検出部材をバネ付勢Ｆしてワイヤロープとともに引き込みロープ張力が所定値に高くなると作動する作動手段１７とを具備したことを特徴とする岩石崩落等の危険表示装置付き防護工になっている。
【００１３】
また、各着脱式ロープ張力検出器１０に、作動スイッチ４１及び作動線４２を介し連結した危険監視手段４４付き遠隔監視装置４０を付設したことを特徴とする岩石崩落等の危険表示装置付き防護工になっている。
【００１４】
また、着脱式ロープ張力検出器１０及び危険表示器２０少なくとも一部に代えて、少なくとも一部のワイヤロープに歪ゲージ３５付き張線器３０を介装して、各歪ゲージ付き張線器に信号線４２を介し連結した危険監視手段４４付き遠隔監視装置４０を付設したことを特徴とする岩石崩落等の危険表示装置付き防護工になっている。
【００１５】
また、法面Ｇに施工した落石等防護工１によって支保された岩石Ｓ１に、前記の危険表示装置付き防護工５０ａ，５０ｂを付設したことを特徴とする岩石崩落等の危険表示装置付き防護工になっている。
【００１６】
さらに詳述すると、各実施例の岩石崩落等の危険表示装置付き防護工５０ａ，５０ｂ，５０ｃは、図示のように大規模な岩石Ｓ１が崩落等の恐れのある法面や崖Ｇに施工され、岩石Ｓ１の崩落等に対応した所要の強靭な耐力を有する複数のワイヤロープ１ａ，１ｂと、岩石上及び法面や崖等に打設する複数のアンカー２と、ロープ側部に着脱される複数の着脱式ロープ張力検出器１０と、法面や崖等に建て込み各着脱式ロープ張力検出器に連結する複数の危険表示器２０と、少なくとも一部のワイヤロープに介装する複数の歪ケージ３５付き張線器３０と、さらには各着脱式ロープ張力検出器又は各歪ケージ付き張線器に連結する危険監視手段４４付き遠隔監視装置４０等によって施工される。また、図３に示すように法面に施工した落石等防護工１にも付設される。
【００１７】
危険表示装置付き防護工に適用するアンカー２は、例えば図６のようにアンカーロツド２ａの頭部に鍔部２ｂや環部２ｃ等を備えたアンカーを適用し、岩石Ｓ１や崖Ｇ等に適宜の手段で穿穴してアンカーロツドを挿入して膨脹系充填材ｊを充填したり、比較的に軟弱な法面Ｇでは例えば支持盤２ｄを嵌装してアンカーロツドを打ち込み膨脹系充填材を充填するなどしてアンカー力を高めて打設し、その環部２ｃにワイヤロープ１ａ，１ｂの先端部を適宜の手段で連結し又は中間部を挿通して外端部を環部２ｃに連結し、適宜のロープ張力Ｆ１をかけて張設する構造になっている。
図３に示す落石防護工１では、ロープ端部の連結に前記のアンカー２を適用し、ロープ中間部の連結には、例えば図７のようにアンカーロツド３ａと、そのボルト部３ｂに嵌装する対のロープ溝付き挟持板３ｃと、連結ボルト３ｄ及び複数のナツト３ｅ等からなるアンカー３等を適用し、アンカーロツド３ａを法面Ｇに適宜の手段で打ち込み適宜の膨脹性充填材ｊを充填するなどしてアンカー力を高め、ボルト部３ｂに両挟持板３ｃと連結ボルト３ｄを嵌挿しナツト２ｅで締め込むことにより、両挟持板でワイヤロープを挟持する構造のアンカー３を適用する。また、ロープ交差部の結合には、例えば図８のようにロープ溝付き支持板５ａと、対のＵ字状部材５ｂ，５ｂと、複数のナツト５ｃ等からなるクリツプ５等を適用し、ロープ交差部に装着してナツトで締め込み支持板及びＵ字状部材で挟持して結合する構造の結合手段になっている。これらのアンカー及びクリツプは、図示例に限らずさらに多様な構造が適用される。
【００１８】
着脱式ロープ張力検出器１０は、図４に示すように複数のボルト・ナツト１２やスペーサー１３等で所定の間隔に組み立てた一対の本体１１を有し、本体の一側部間に一対の溝付きガイドロール１５を適度の相互間隔で回転可能に軸支し、両本体の中央部間にボルト・ナツト１２で固設した一方のバネ受け１７ａに挿通したガイド扞１６ｂ付きの挟持部材１６ａと、挟持部材にネジ１６ｄで取り付けてワイヤロープ１ａ，１ｂを挟持する他方の挟持部材１６ｃ等からなる張力検出部材１６を設け、さらに、張力検出部材１６のガイド扞１６ｂに嵌装又は螺合した圧縮バネ１７ｂや他方のバネ受け１７ｃ、ナツト１７ｄ、及び挟持本体１６ａに突設して作動線１９のインナー線１９ａに連結した作動扞１７ｅ等からなる作動手段１７等を備えた着脱式の構造になっている。
【００１９】
着脱式ロープ張力検出器１０は、張設したワイヤロープ１ａ，１ｂの側部に両ガイドロール１５を当接し、張力検出部材１６でガイドロール間のワイヤロープを挟持し、ナツト１７ｄを適度に締め込み割りピン等で回り止めして、圧縮バネ１７ｂのバネ付勢Ｆを所要値にセットすることにより、両ガイドロール１５で支持したワイヤロープの中間部を張力検出部材１６でロープ張力Ｆ１に抗し適度に引き込み湾曲させて支持するなど、張設したワイヤロープの所要位置の側部に随時かつ容易に着脱可能に取り付けて使用する（図１，２Ａ，３Ａ参照）。岩石Ｓ１の移動等によってロープ張力Ｆ１が適度に高くなると、張力検出部材１６がワイヤロープとともにバネ付勢Ｆに抗して図示下方（図３Ａ参照）に移動し、ロープ張力が所定値に達すると挟持部材１６ａに付設した作動扞１７ｅ及び作動線１９のインナーワイヤ１９ａを介して危険表示器２０を危険表示に切り変える。また、作動扞１７ｅにより作動スイッチ（開閉スイッチ等）４１が作動して信号線４２を閉路し遠隔監視装置４０を作動する。バネ付勢Ｆは、ロープ張力Ｆ１がワイヤロープの耐力に達する前に作動するように設定する。また、着脱式ロープ張力検出器１０に付設した適宜の逆止手段（図示省略）によってその作動状態が継続される。図示の張力検出部材１６は、必要に応じワイヤロープを掛けて引き込み支持するフツク等の構造も適用される。バネ付勢Ｆの方向を逆にしてワイヤロープの湾曲を逆方向にした構造に改変することも可能である（図示省略）。
【００２０】
危険表示器２０は、図５に示すように法面や崖Ｇ等の適所に建て込むロッド２１と、このロッド頭部にバンド２２ａやボルト・ナツト２２ｂ等で取り付けるカバー２３と、カバーの表面板２４と、カバーに内蔵しバネ２６等で図示上方にバネ付勢される表面板の内側に対設した危険表示板２５、及び危険表示板の下部に突設し作動線１９のインナーワイヤ１９ａに連結した作動杆２７等を備え、例えば表面板２４に適宜幅の透明部２４ａや白色部２４ｂを多数交互に形成し、危険表示板２５に適宜幅の白色部２５ａや黄色又は赤色の危険警戒色部２５ｂ（必要に応じ蛍光塗料を使用して夜間の遠視を可能にする）を多数交互に形成して、通常は危険表示板２５がバネ付勢で図示上方に配置されて各白色部２５ａが表面板２４の透明部２４ａに整合し、表面板２４の全面が白色の安全表示となり、着脱式ロープ張力検出器１０が作動すると、作動線１９のインナーワイヤ１９ａを介し危険表示板２５の危険警戒色部２５ｂが表面板２４の透明部２４ａに整合し、危険表示に自動切り変わる構造になっている。必要に応じ危険表示板２５の下降後の再上昇を阻止する適宜の逆止手段を付設する（図示省略）。この表面板２４と危険表示板２５による表示手段は、図示例に限らず遠くから容易に遠視可能な多様な構造を適用できる。
【００２１】
歪ゲージ３５付き張線器３０は、図２Ｂに示すように本体３１と、本体の左右に螺合した連結環部３４付きボルト３２及び３３と、ボルト３３の基部に嵌着した歪ゲージ３５、及び歪ゲージに連結した信号線４２等からなり、連結環部３４をワイヤロープ１ａ，１ｂの端部に連結し又は中間部に介装し、他方の連結環部部３４をアンカー２の頭部に連結するなどしてワイヤロープに介装し、本体３１にボルト３２及び３３を捩じ込み張設することによりワイヤロープに適度な張力Ｆ１をかけて、このロープ張力Ｆ１によって生じるボルト３３部の応力を歪ゲージ３５によって検出し、この歪ゲージ３５による検出信号を信号線４２を介し危険監視装置４０に入力する構造になっている。
【００２２】
危険監視装置４０は、例えば図１等に示すように着脱式ロープ張力検出器１０に付設した作動スイッチ４１（開閉スイッチ等）及び作動スイッチに連結した信号線４２、又は張線器３０の歪ゲージ３５に連結した信号線４２と、信号線に連結したコントローラー４３と、コンローラーに連結して作動されるテレビ等の危険表示器４４や、記録器４５、警報機４６等からなり、信号線４２による検出信号に基づきコンローラー４３が作動し、コンローラーによって表示器４４はロープ張力検出器１０や歪ゲージ付き張線器３０ごとの崩落等の危険を表示し、記録器４５に具体的に記録される。また、警報機４６で警報（赤色ランプやブザー）されるなど、岩石Ｓ１あるいはまた落石等防護工１の部分的な危険状態を遠隔地で監視する構造になっている。
【００２３】
図１に示す岩石崩落等の危険表示装置付き防護工５０ａ（第１実施例）は、崩落する恐れがある大規模な岩石Ｓ１において、この岩石Ｓ１上に複数の穿穴を設けアンカー２を挿入し膨脹系充填材ｊを充填し、岩石Ｓ１の周囲の法面や崖Ｇ等に適宜の間隔をおき複数のアンカー２を同様に打設して、縦方向のワイヤロープ１ａの先端部を岩石Ｓ１上のアンカー２に連結し、横方向のワイヤロープ１ｂの中間部を岩石Ｓ１上のアンカー２に挿通して、各ワイヤロープの外端部をアンカー２に連結し適度の張力Ｆ１をかけて張設するとともに、各ワイヤロープの外端部近くの側部に着脱式ロープ張力検出器１０を両ガイドロール１５及び張力検出部材１６で着脱可能に取り付け、法面や崖Ｇの適所に危険表示器２０を建て込み作動線１９で着脱式ロープ張力検出器１０を連結することにより、各ワイヤロープに着脱式ロープ張力検出器１０及び危険表示器２０を付設して複数組とし、また、必要に応じさらに各着脱式ロープ張力検出器１０の信号線４２に危険監視装置４０を連結するなどして、岩石崩落等の危険表示装置付き防護工５０ａとして随時に施工される。
【００２４】
前記の岩石崩落等の危険表示装置付き防護工５０ａは、崩落等の恐れがある岩石Ｓ１において、比較的に少数の部材により必要に応じ随時に付設して施工される。即ち、ワイヤロープ１ａ，１ｂのアンカー２による張設や、着脱式ロープ張力検出器１０と危険表示器２０の組み付け建て込み連結、及び遠隔監視装置４０の連結等により随時にかつ容易に施工されて、取り替え交換や撤去も容易であるなど優れた施工性を有する。また、張設した複数のワイヤロープによって岩石Ｓ１を支保して移動等を抑止する防護機能を有する。さらに、着脱式ロープ張力検出器１０は、張設したワイヤロープの側部に随時に付設されて交換も容易であり腐食等による格別な悪影響もなく、ロープ張力Ｆ１を直接に感知して機械的に作動するなど優れた信頼性が得られる。各危険表示器２０は、法面や崖Ｇ等に建て込みロープ張力検出器１０に連結して近くの所要地に配置され、岩石Ｓ１の崩落等の危険状態を施工現場近くで直接的に表示し、監視人や通行人が現場近くで岩石崩落等の危険を容易に視て確認することができる。危険監視装置４０の危険表示手段４４等により、その危険状態を遠隔地で確認する監視も可能であるなど、優れた危険表示性能さらには遠隔確認性能が得られる。さらにまた、前記のような岩石崩落等の危険に対応して退避等の対策が可能となり、補修するなどして岩石崩落等を防止するなどの対応が可能になる。
【００２５】
図２に示す岩石崩落等の危険表示装置付き防護工５０ｂ（第２実施例）は、崩落の恐れがある大規模な岩石Ｓ１において、第１実施例の着脱式ロープ張力検出器１０及び危険表示器２０の少なくとも一部に代えて、少なくとも一部のワイヤロープ１ａ，１ｂに予め歪ゲージ３５付き張線器３０を介装し、第１実施例と同様に複数のワイヤロープ１ａ，１ｂを岩石Ｓ１上及びその周囲の法面や崖Ｇにアンカー２して張設するとともに、図示例では一部のワイヤロープ１ｂに着脱式ロープ張力検出器１０と危険表示器２０を第１実施例のように組み付け及び建て込み、各歪ゲージ３５付き張線器３０の信号線４２を介して危険監視装置４０を連結し、また、必要に応じ着脱式ロープ張力検出器１０も信号線４２を介して危険監視装置４０を連結するなど、岩石崩落等の危険表示装置付き防護工として施工している。この危険表示装置付き防護工５０ｂは、基本的に第１実施例と同様な作用、効果を有する。さらに、ワイヤロープに歪ゲージ３５付き張線器３０を介装することにより、歪ゲージ付き張線器３０とともにワイヤロープ１ａ，１ｂの張設や取り替え交換、撤去も随時にかつ容易になるなど、少なくとも施工性がさらに高められる利点がある。
【００２６】
図３に示す岩石崩落等の危険表示装置付き防護工５０ｃ（第３実施例）は、落石Ｓ等（大規模な岩石Ｓ１を含む）の恐れがある法面Ｇに落石等防護工１を施工した場合の実施例であり、法面Ｇに縦横間隔をおき配置した多数のワイヤロープ１ａ，１ｂをアンカー２，３してロープ交差部をクリツプ５等で結合するなどしてネツト状に張設したり、法面に金網６を敷き詰め、多数のワイヤロープを同様にネツト状に張設して落石等を長期にわたり抑止して防護する落石等防護工１が施工されている。さらに、前記の第２実施例と同様な岩石崩落等の危険表示装置付き防護工５０ｂを付設している。また、必要に応じ第１実施例と同様な岩石崩落等の危険表示装置付き防護工５０ａの付設も可能である（図示省略）。必要に応じ落石等防護工１のワイヤロープ１ａ，１ｂの所要位置に着脱式ロープ張力検出器１０に連結して危険表示器２０を建て込み連結したり、さらに危険監視装置４０を連結することも可能である（図示省略）。この危険表示装置付き防護工５０ｃは、各ワイヤロープが比較的に長尺になるため、好ましくはワイヤロープの中間部をさらに法面Ｇにアンカー２する。
【００２７】
前記の岩石崩落等の危険表示装置付き防護工５０ｃは、落石等防護工１を施工した法面Ｇにおいて、崩落等の恐れがある岩石Ｓ１に岩石崩落等の危険表示装置付き防護工５０ａ又は５０ａを施工して付設した構造になっており、基本的には第１実施例又は第２実施例と同様な作用、効果を有する。さらに、岩石Ｓ１に付設したこの危険表示装置付き防護工は、岩石崩落等の防護性能を直接に高めるとともに、落石等防護工１自体の防護性能を補強して高めるなど、総合的な防護性能をさらに高めている。
【００２８】
前記の各実施例において、そのワイヤロープ自体や本数、アンカーの構造や個数、構造さらに配置等は、図示例に限らず岩石Ｓ１の規模などに対応させて多様に構成される。前記の第１実施例及び第２実施例は、法面や崖等の岩石Ｓ１に随時に付設される。
【００２９】
【発明の効果】
本発明は、前述のように構成され法面や崖等の岩石において、岩石及び法面や崖等にアンカーして岩石を支保した複数のワイヤロープと、各ロープ側部に着脱する着脱式ロープ張力検出器、及び法面や崖等に建て込み連結する危険表示器等からなる複数組により、比較的に少数の部材で随時に施工して岩石を支保したり取り替え交換や撤去も容易であるなど優れた施工性を有する。岩石を直接に支保してその移動等を抑止する防護工として機能し、着脱式ロープ張力検出器及び危険表示器は、腐食等による不作動が回避されロープ張力を直接に検出して機械的に作動し、岩石近くの複数箇所で岩石崩落等の危険を表示するなど、危険表示性能、信頼性を著しく向上している。
【００３０】
また、前記のロープ張力検出器の一対のガイドロール及び張力検出部材によって、ロープ側部への着脱や取り替え交換、撤去を容易とし、さらに作動手段によってロープ張力の検出及び作動を機械的に高めるなど、施工性とともに作動及び検出の信頼性等をさらに高めている。各着脱式ロープ張力検出器に、作動スイッチ及び作動線を介して連結した危険監視手段付き遠隔監視装置の付設によって、岩石崩落等の危険等を遠隔地でも監視可能にしている。さらに、一部のワイヤロープに歪ゲージ付き張線器を介装し、各歪ゲージ付き張線器に信号線を介して連結した危険監視手段付き遠隔監視装置を付設したことにより、歪ゲージ付き張線器をワイヤロープに介装したままで容易に施工し又は取り替え交換や撤去も容易にして、施工性や遠隔監視性能を高めている。さらに、法面に施工した落石等防護工によって支保した岩石に、前記の危険表示装置付き防護工を付設したことにより、岩石崩落等の防護とともに落石等防護工自体の防護性能、信頼性をさらに高めるなど、総合的に施工性とともに岩石崩落等の危険表示さらには遠隔監視性能、信頼性を効果的に向上している。従って、岩石崩落等の危険を察知して緊急の退避や補修等の対応を容易にしている。
【図面の簡単な説明】
【図１】  岩石崩落等の危険表示付き防護工の第１実施例を示す平面視機構図（Ａ）及び側視図（Ｂ）
【図２】  第２実施例を示す平面視機構図（Ａ）及び歪ゲージ付き張線器の側視図（Ｂ）
【図３】  第３実施例を示す平面視機構図
【図４】  ロープ張力検出器の側視機構図（Ａ）と平面図（Ｂ）及びそのＸ−Ｘ線部分の断面図（Ｃ）
【図５】  危険表示器の正面図（Ａ）と上部の縦断面図（Ｂ）及びその側視図（Ｃ）
【図６】  アンカーの一実施例を示す縦断面図（Ａ）及びその側視図（Ｂ）
【図７】  アンカーの他の実施例を示す縦断面図（Ａ）及びその平面図（Ｂ）
【図８】  クリップの一実施例を示す正面図（Ａ）及びその側視図（Ｂ）である。
【符号の説明】
１  法面
２  岩石
３  落石等防護工
１ａ、１ｂ  ワイヤロープ
２，３  アンカー
６  金網
１０  着脱式ロープ張力検出器
１５  ガイドロール
１６  張力検出部材
１７  作動手段
１９  作動線
２０  危険表示器
３０  張線器
３５  歪ゲージ
４０  遠隔監視装置
４１  作動スイッチ
４２  信号線
４４  監視手段
Ｆ  バネ付勢
Ｆ１  ロープ張力
【図１】
0003829011.tif 000002
【図２】
0003829011.tif 000003
【図３】
0003829011.tif 000004
【図４】
0003829011.tif 000005
【図５】
0003829011.tif 000006
【図６】
0003829011.tif 000007
【図７】
0003829011.tif 000008
【図８】
0003829011.tif 000009